(57)【要約】      （修正有）【課題】シート状綴じ具の取り付けや取り外しあるいは交換が容易にできる安価な卓上カレンダーを提供する。【解決手段】複数枚の月日を表示しているカレンダー部３を、カレンダー前部支持板１とカレンダー後部支持板２で支持している卓上カレンダーにおいて、カレンダー部とカレンダー前部支持板とカレンダー後部支持板にそれぞれスリット５を設け、弾性シート状綴じ具４をそれぞれのスリットに通すとともに、弾性シート状綴じ具の端に形成した突片を、それぞれカレンダー前部支持板とカレンダー後部支持板のスリットに引っ掛けることによりカレンダー部を綴じたことを特徴とする。【選択図】図１
0003172789.tif 000002
【実用新案登録請求の範囲】
【請求項１】
複数枚の月日を表示しているカレンダー部を、カレンダー前部支持板とカレンダー後部支持板で支持している卓上カレンダーにおいて、カレンダー部とカレンダー前部支持板とカレンダー後部支持板にそれぞれスリットを設け、弾性シート状綴じ具をそれぞれのスリットに通すとともに、弾性シート状綴じ具の端に形成した突片を、それぞれカレンダー前部支持板とカレンダー後部支持板のスリットに引っ掛けることによりカレンダー部を綴じたことを特徴とする卓上カレンダー。
【考案の詳細な説明】
【技術分野】
【０００１】  本考案は、卓上カレンダーに関する。
【背景技術】
【０００２】  従来、卓上カレンダーは、企業などの広告宣伝の為の販促物として使われ、カレンダー紙下部やカレンダー紙支持具正面下部に特定の企業名や広告を印刷していた。また従来の起立する卓上カレンダーは、卓上カレンダーの上端でカレンダー紙とカレンダー支持具を綴じ具で綴じる形態が多く、一番目立つ最上部に広告を表示できないという構造的な不具合があった。またたとえば特許文献１では、図１に１枚の台紙から型紙を切り出し、図２に正面部材の上部の一カ所にカレンダー係止部材を設け、図３に係止部材をカレンダー紙に設けたスリットに通して一部を丸めて円筒部を形成し、係止部材の端部を正面部材に固定する方法が記載されている。しかし、係止部材が弾性が小さくかつ変形し易い紙であり正面部材の一部として設けられているので、係止部材をカレンダー紙のスリットを通してきれいな円筒形状に丸めることが難しく、円筒形状が潰れやすいという問題があった。また例えば選ばれた台紙の種類によって、印刷方法が制限されてしまい、印刷表現が限定的になるという不都合があった。【０００３】  また、従来の卓上カレンダーは、１社ごとに企業名や広告をカレンダー紙下部やカレンダー紙支持具正面下部に印刷していたので、それぞれの企業ごとに印刷版を作成しなければならず、印刷版作成と印刷に多くの費用や時間がかかるという問題があった。また組み立てた卓上カレンダーの印刷を変更することは大変な手間と材料費がかかり、卓上カレンダーに特定の企業名や広告を印刷すると他社用に転用することができないという問題もあった。
【先行技術文献】
【特許文献】
【０００４】
【特許文献１】登録実用新案第３１４０６４８号公報
【考案の概要】
【考案が解決しようとする課題】
【０００５】  このため、本考案による卓上カレンダーは、複数枚の月日を表示しているカレンダー部を、カレンダー前部支持板とカレンダー後部支持板で支持している卓上カレンダーにおいて、十分な印刷スペースを確保し、特定の企業名や広告を美的に印刷表現した樹脂フィルム製で弾性を有するシート状綴じ具を作成すること、卓上カレンダーのカレンダー部とカレンダー前部支持板とカレンダー後部支持板を特定の企業名や広告を印刷しない共通部材として、それぞれにスリットを設け、弾性を有するシート状綴じ具をそれぞれのスリットに通してカレンダー部を綴じること、シート状綴じ具の取り付けや取り外しあるいは交換が容易にできることで、安価な卓上カレンダーを提供することを課題とする。
【課題を解決するための手段】
【０００６】  本考案は上記の問題点を解決すべくなされたものであり、複数枚の月日を表示しているカレンダー部を、カレンダー前部支持板とカレンダー後部支持板で支持している卓上カレンダーにおいて、カレンダー部とカレンダー前部支持板とカレンダー後部支持板にそれぞれスリットを設け、弾性シート状綴じ具をそれぞれのスリットに通すとともに、弾性シート状綴じ具の端に形成した突片を、それぞれカレンダー前部支持板とカレンダー後部支持板のスリットに引っ掛けることによりカレンダー部を綴じたことを特徴とする卓上カレンダーである。
【考案の効果】
【０００７】  本考案による効果は、特定の企業名や広告を弾性シート状綴じ具のみに印刷し、カレンダー部とカレンダー前部支持板とカレンダー後部支持板には印刷しないことにより費用の軽減が図れる。また、弾性シート状綴じ具に使用している弾性シートは、弾性シート状綴じ具に有効な特性を持つ市販の樹脂フィルム製を用いることで、印刷インクによる印刷適性、コピー機もしくはレーザープリンターやインクジェットプリンターによる印刷適性、ボールペンや油性ペンによる手書き特性、抜き型による切り抜き特性、熱加工特性が良好であり、引き裂きに強いものとなる。またスリットは、弾性シート状綴じ具に緩衝効果があるので角形のスリットでも破断しにくい。なお、両端が円形でそれぞれの円形の中心をつなぐように半径程度の幅で切り抜いた形状（図２）のスリットにすれば、角形のスリットよりもカレンダー紙がスリット部で破断しにくい効果がある。さらに、シート状綴じ具綴じ長（図４に示すＬ）を変えれば、弾性シート状綴じ具で綴じた場合のループ径（図５に示すＬＰ）を変えられるので、ループ径に応じた印刷スペースが十分に確保され、レーザープリンターやインクジェットプリンターなどで広告等の印刷が美的に自由に出来る。さらにこのループ状の綴じ具内側に鉛筆やボールペンなどの筆記具を収納できる。
【図面の簡単な説明】
【０００８】
【図１】  本考案の卓上カレンダーの第一の実施形態を斜め前方より見た斜視図
【図２】  本考案のスリット図
【図３】  本考案の卓上カレンダーの実施例正面図
【図４】  シート状綴じ具実施例上面図
【図５】  図３におけるＡ−Ａ′断面図
【考案を実施するための形態】
【０００９】  以下、本考案の実施の形態について、図面を参照して説明する。
図１に本考案の卓上カレンダー実施形態の第一の例を示す。
複数枚の月日を表示しているカレンダー部３を、カレンダー前部支持板１とカレンダー後部支持板２で支持している卓上カレンダーにおいて、カレンダー部３とカレンダー前部支持板１とカレンダー後部支持板２にそれぞれスリット（図２）を設ける。
【００１０】  次に弾性シート状綴じ具４をそれぞれのスリットに通して、弾性シート状綴じ具４の端に形成した突片を、それぞれカレンダー前部支持板１とカレンダー後部支持板２のスリットに引っ掛けることによりカレンダー部３を綴じる。例えば一月を１枚で構成した場合は１２枚からなり、月日を表示するカレンダー部３とカレンダー前部支持板１及びカレンダー後部支持板２の、それぞれの同じ位置に同じ寸法のスリットが設けてあり（表紙も同様であるが図示せず）、シート状綴じ具４で綴じられている。またシート状綴じ具４に使用している弾性シートは、十分な弾力性を有する樹脂シートが好適であり、折り曲げや曲げ戻しにも簡単に切れない強度が必要である。
【００１１】  さらに印刷インクによる印刷適性、コピー機もしくはレーザープリンターやインクジェットプリンターによる印刷適性、ボールペンや油性ペンによる手書き特性、抜き型による切り抜き特性、熱加工特性が良好であること、引き裂きに強いことなどが必要である。また、図２のスリット幅Ｗと図４に示すシート状綴じ具綴じ幅Ｍとシート状綴じ具４の端に形成した突片幅Ｎは、Ｍ＜Ｗ＜Ｎの関係にある。
【００１２】  図４に示すシート状綴じ具４の端に形成した突片６ｃを、シート状綴じ具折り曲げ部７で折り曲げておき、シート状綴じ具４の突片６ａ側を図５に示すカレンダー前部支持板１のスリット５ａの内側から通し、続けてカレンダー部スリット５ｃを通す。突片６ｃは斜めに折り曲げてありスリット幅を超えないので、５ａ、５ｃを容易に通すことが出来る。同じように反対側のスリット５ｂもシート状綴じ具４が円筒形になるように通して、折り曲げ部７で折り曲げた突片６ｃを曲げ戻す。こうすることによりシート状綴じ具４の弾性によって突片６ｂ、突片６ｄはスリット５ａに引っ掛かり、突片６ａ、突片６ｃがスリット５ｂに引っ掛かり、図５に示すように、シート状綴じ具４でカレンダー部３を綴じることができる。
【００１３】  スリット幅Ｗをシート状綴じ具綴じ幅Ｍより僅かに大きくして、スリットの切り抜き幅５ｆをスリット両端の穴径の半分程度にすれば、差し込んだシート状綴じ具４がスリット５ａ、５ｂから抜けることがない。さらにシート状綴じ具４の突片６ｃを折り曲げると、スリット５ａ、５ｂから抜くことが出来るので、シート状綴じ具４の取り付け取り外しは容易である。
【符号の説明】
【００１４】１    卓上カレンダー前部支持板
２    卓上カレンダー後部支持板
３    カレンダー部
４    シート状綴じ具
【図１】
0003172789.tif 000003
【図２】
0003172789.tif 000004
【図３】
0003172789.tif 000005
【図４】
0003172789.tif 000006
【図５】
0003172789.tif 000007